(57)【要約】【課題】ユーザへ提供するサービスの向上を図ることのできる管理サーバを提供する。【解決手段】本発明の一態様に係る管理サーバ（４）は、ユーザを撮影して画像を生成する写真シール作成装置（１）において生成された複数の画像と、上記ユーザの遊戯に関するコメントと、上記複数の画像の各々の特性を示す画像情報と、を関連づけて管理する。【選択図】図１８
2019071610.tif 000002
【特許請求の範囲】
【請求項１】
ユーザを撮影して画像を生成する写真シール作成装置において生成された複数の画像を管理する管理サーバであって、
上記ユーザの遊戯に関するコメントを取得するコメント取得手段と、
上記コメント取得手段により受け付けた上記遊戯に関するコメントを、１又は複数の画像、及び、当該１又は複数の画像の各々の特性を示す１又は複数の画像情報に関連付けて管理する管理手段と、を備え、
上記画像情報は、上記画像を生成した上記写真シール作成装置の設置されている店舗の情報、上記画像を生成した上記写真シール作成装置の機種の情報、上記画像を生成した上記写真シール作成装置の機種のソフトウェアのバージョンの情報、上記画像の形状の情報、上記画像の大きさの情報、上記画像を生成した上記写真シール作成装置において選択された撮影モードの情報、上記画像を生成した上記写真シール作成装置において選択された合成画像の情報、上記画像の撮影日時の情報、及び、上記画像が保存された日付の情報の少なくとも何れか１つである
ことを特徴とする管理サーバ。
【請求項２】
上記ユーザの遊戯に関するコメントに対するユーザの修正指示を受け付ける修正受付手段を備えていることを特徴とする請求項１に記載の管理サーバ。
【請求項３】
上記複数の画像の各々を特定するための特定情報を付与する特定情報付与部を備え、
上記特定情報の付与された上記画像をネットワーク上のページに掲載可能に管理することを特徴とする請求項１又は２に記載の管理サーバ。
【請求項４】
ユーザを撮影して画像を生成する写真シール作成装置において生成された複数の画像を管理する管理サーバの画像管理方法であって、
上記ユーザの遊戯に関するコメントを取得するコメント取得工程と、
上記コメント取得工程において受け付けた上記遊戯に関するコメントを、１又は複数の画像、及び、当該１又は複数の画像の各々の特性を示す１又は複数の画像情報に関連付けて管理する管理工程と、を含み、
上記画像情報は、上記画像を生成した上記写真シール作成装置の設置されている店舗の情報、上記画像を生成した上記写真シール作成装置の機種の情報、上記画像を生成した上記写真シール作成装置の機種のソフトウェアのバージョンの情報、上記画像の形状の情報、上記画像の大きさの情報、上記画像を生成した上記写真シール作成装置において選択された撮影モードの情報、上記画像を生成した上記写真シール作成装置において選択された合成画像の情報、上記画像の撮影日時の情報、及び、上記画像が保存された日付の情報の少なくとも何れか１つである
ことを特徴とする画像管理方法。
【請求項５】
請求項１から３のいずれか１項に記載の管理サーバとしてコンピュータを機能させるためのプログラムであって、コンピュータを上記各手段として機能させるためのプログラム。
【請求項６】
請求項５に記載のプログラムを記録したコンピュータ読み取り可能な記録媒体。
【発明の詳細な説明】
【技術分野】
【０００１】
本発明は、画像を管理する管理サーバ、及び管理サーバの画像管理方法に関する。また、そのような管理サーバとしてコンピュータを動作させるためのプログラム、及び記録媒体に関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させる（例えば、所定のモバイルサイトにアクセスしている携帯端末に画像を表示させる）ことによって画像をユーザに提供するサービスが広がってきている。また、このようなサービスは、写真シール作成装置において生成された画像を管理する管理サーバからユーザに提供されることが一般的である。
【０００３】
なお、下掲の特許文献１には、インターネット上の各種ウェブサービスに対して、横断的にコミュニティ管理機能を提供するコミュニティ管理プラットフォーム装置が開示されている。
【先行技術文献】
【特許文献】
【０００４】
【特許文献１】特開２０１１―０６０１０５号公報
【発明の概要】
【発明が解決しようとする課題】
【０００５】
しかし、従来の技術では、管理サーバは、ユーザの満足度などを評価する指標を管理していない。このため、従来の技術では、ユーザへ提供するサービスの向上を図りづらいという問題があった。
【０００６】
本発明は、上記の課題を解決するためになされたものであり、その主たる目的は、ユーザへ提供するサービスの向上を図ることのできる管理サーバを提供することにある。
【課題を解決するための手段】
【０００７】
本発明の一態様に係る管理サーバは、上記の課題を解決するために、ユーザを撮影して画像を生成する写真シール作成装置において生成された複数の画像を管理する管理サーバであって、上記ユーザの遊戯に関するコメントを取得するコメント取得手段と、上記コメント取得手段により受け付けた上記遊戯に関するコメントを、１又は複数の画像、及び、当該１又は複数の画像の各々の特性を示す１又は複数の画像情報に関連付けて管理する管理手段と、を備え、上記画像情報は、上記画像を生成した上記写真シール作成装置の設置されている店舗の情報、上記画像を生成した上記写真シール作成装置の機種の情報、上記画像を生成した上記写真シール作成装置の機種のソフトウェアのバージョンの情報、上記画像の形状の情報、上記画像の大きさの情報、上記画像を生成した上記写真シール作成装置において選択された撮影モードの情報、上記画像を生成した上記写真シール作成装置において選択された合成画像の情報、上記画像の撮影日時の情報、及び、上記画像が保存された日付の情報の少なくとも何れか１つであることを特徴とする。
【０００８】
上記の構成によれば、上記管理手段は、画像と該画像の画像情報と上記遊戯に関するコメントとを関連づけて管理する。また、上記画像情報としては、例えば、上記画像を生成した上記写真シール作成装置の設置されている店舗の情報、上記画像を生成した上記写真シール作成装置の機種の情報、上記画像を生成した上記写真シール作成装置の機種のソフトウェアのバージョンの情報、上記画像の形状の情報、上記画像の大きさの情報、上記画像を生成した上記写真シール作成装置において選択された撮影モードの情報、上記画像を生成した上記写真シール作成装置において選択された合成画像の情報、上記画像の撮影日時の情報、及び、上記画像が保存された日付の情報などを例に挙げることができる。これにより、上記管理サーバは、上記画像と、上記遊戯に関するコメントと、上記画像の各々の特性を示す画像情報とを関連づけて管理することができる。
【０００９】
したがって、上記管理サーバは、上記画像と、上記遊戯に関するコメントと、上記画像の各々の特性を示す画像情報とを関連づけて、ユーザへ提供するサービスの向上を図ることができる。
【００１０】
本発明の一態様に係る管理サーバにおいて、上記ユーザの遊戯に関するコメントに対するユーザの修正指示を受け付ける修正受付手段を備えていることが好ましい。
【００１１】
上記の構成によれば、上記管理サーバは、上記修正受付手段において、上記遊戯に関するコメントの修正指示（追記指示を含む）を受け付けることができる。これにより、上記管理サーバは、ユーザにより修正された上記遊戯に関するコメントを用いて、ユーザへ提供するサービスの向上を図ることもできる。
【００１２】
本発明の一態様に係る管理サーバにおいて、上記複数の画像の各々を特定するための特定情報を上記画像に付与する特定情報付与部を備え、上記特定情報の付与された上記画像をネットワーク上のページに掲載可能に管理することが好ましい。
【００１３】
上記の構成によれば、上記管理サーバは、上記特定情報付与部において、上記画像の各々を特定するための特定情報を上記画像に付与することができる。上記特定情報としては、例えば、上記写真シール作成装置を提供している会社を特定する情報、上記写真シール作成装置の機種などを特定する情報、及び上記画像の被写体となっているユーザを特定する情報などを例に挙げることができる。これにより、上記管理サーバは、当該画像をインターネットなどのネットワーク上から検出するために用いることができる上記特定情報を上記画像に付与して、上記画像をネットワーク上のページに掲載可能に管理することができ、ユーザへ提供するサービスの向上を図ることもできる。
【００１４】
本発明の一態様に係る管理サーバの画像管理方法は、上記の課題を解決するために、ユーザを撮影して画像を生成する写真シール作成装置において生成された複数の画像を管理する管理サーバの画像管理方法であって、上記ユーザの遊戯に関するコメントを取得するコメント取得工程と、上記コメント取得工程において受け付けた上記遊戯に関するコメントを、１又は複数の画像、及び、当該１又は複数の画像の各々の特性を示す１又は複数の画像情報に関連付けて管理する管理工程と、を含み、上記画像情報は、上記画像を生成した上記写真シール作成装置の設置されている店舗の情報、上記画像を生成した上記写真シール作成装置の機種の情報、上記画像を生成した上記写真シール作成装置の機種のソフトウェアのバージョンの情報、上記画像の形状の情報、上記画像の大きさの情報、上記画像を生成した上記写真シール作成装置において選択された撮影モードの情報、上記画像を生成した上記写真シール作成装置において選択された合成画像の情報、上記画像の撮影日時の情報、及び、上記画像が保存された日付の情報の少なくとも何れか１つである、ことを特徴とする。
【００１５】
上記の構成によれば、上記画像管理方法は、上述の管理サーバと同様の効果を奏することができる。
【００１６】
本発明の各態様に係る端末装置は、コンピュータによって実現してもよく、この場合には、コンピュータを上記端末装置が備える各手段として動作させることによって上記端末装置をコンピュータにて実現させる端末装置のプログラム、およびそれを記録したコンピュータ読み取り可能な記録媒体も、本発明の範疇に入る。
【発明の効果】
【００１７】
本発明は、ユーザへ提供するサービスの向上を図ることができるという効果を奏する。
【図面の簡単な説明】
【００１８】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る管理サーバの備える画像管理部の要部構成を示すブロック図である。
【図１９】本発明の第１実施形態に係る満足度推定部におけるユーザの満足度の推定に関する一連の処理の流れを示すフローチャートである。
【図２０】本発明の第１実施形態の変形例に係る管理サーバの備える画像管理部の要部構成を示す図である。
【発明を実施するための形態】
【００１９】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２０】
（撮影画像管理システム１０）
図２は、本発明の第１実施形態に係る撮影画像管理システム１０の構成を示す図である。図２に示すように、撮影画像管理システム１０は、写真シール作成装置１、携帯端末６、および管理サーバ４を備えている。
【００２１】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２２】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００２３】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００２４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２５】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００２６】
画像提供サイトへの画像保存後、ユーザは、携帯端末６または所望の他の装置を用いて画像提供サイトにログインして、画像をダウンロードすることができる。
【００２７】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００２８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００２９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００３７】
図３に示す編集部１２の構成を正面側の構成とすると、２組のユーザが同時に編集することができるように、編集部１２の正面側と背面側には編集制御に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４１】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００４２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００４３】
（ユーザの移動）
写真シール作成ゲームの流れと、それに伴うユーザの移動について図５を参照して説明する。図５は、ユーザの移動について説明する図である。
【００４４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００４５】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００４６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００４８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００４９】
画像の印刷が終了したとき、ユーザは、事後接客部１３に設けられた排出口からシール紙を受け取り、一連の写真シール作成ゲームを終えることになる。
【００５０】
（各部材の構成）
次に、写真シール作成装置１に備えられる各部材の構成について説明する。
【００５１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５３】
正面パネル４１のほぼ中央には撮影・表示ユニット８１が設けられる。撮影・表示ユニット８１は、カメラ９１、正面ストロボ９２、およびタッチパネルモニタ９３から構成される。
【００５４】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００５５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００５６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００５８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００５９】
足元ストロボ８６の右側には、ユーザがお金を投入する硬貨投入返却口８７が設けられる。
【００６０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６４】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６５】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００６６】
（事後接客部１３）
編集部１２の左側には事後接客部１３が設けられる。図９は、写真シール作成装置１に備えられる事後接客部１３の構成例を示す図である。
【００６７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００６８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００６９】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７０】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７１】
スピーカ１６５は、事後接客時の案内音声、ＢＧＭ、効果音等の音を出力する。
【００７２】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７３】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００７４】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００７５】
通信部２０３はインターネットなどのネットワークのインタフェースであり、制御部２０１による制御に従って外部の装置と通信を行う。
【００７６】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００７７】
ＲＯＭ２０６には、制御部２０１において実行されるプログラムおよびデータが記憶されている。ＲＡＭ２０７は、制御部２０１が処理するデータおよびプログラムを一時的に記憶する。
【００７８】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００７９】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８０】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８２】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８３】
カメラ９１は、制御部２０１による制御に従って撮影を行い、撮影によって得られた画像（画像）を制御部２０１に出力する。
【００８４】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８５】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００８６】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００８７】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００８８】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００８９】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９０】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９１】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【００９２】
通信制御部３１１は、通信部２０３による外部の装置との通信を制御する。
【００９３】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【００９４】
編集制御部３１３は、編集部１２Ａおよび編集部１２Ｂによる画像に対する落書き編集等、写真シール作成ゲームにおけるユーザの編集制御に関する処理を制御する。
【００９５】
印刷制御部３１４は、印刷部２１１によるシール紙の印刷等、写真シール作成ゲームにおけるユーザの印刷制御に関する処理を制御する。
【００９６】
事後接客制御部３１５は、事後接客部１３による、編集作業を終了したユーザグループを接客する処理等、写真シール作成ゲームにおける事後接客に関する処理を制御する。
【００９７】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９８】
（制御部４０１の詳細）
図１に示すように、制御部４０１は、通信制御部４１１、メール作成部４１２、ウェブページ作成部４１３、および画像管理部４１４を備えている。
【００９９】
（通信制御部４１１）
通信制御部４１１は、通信部４０３による通信を制御する。
【０１００】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１０１】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１０２】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１０３】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０４】
（記憶部４０２の詳細）
図１に示すように、記憶部４０２は、メールデータベース４２１、会員データベース４２２、ウェブページデータベース４２３、および画像データベース４２４を有している。
【０１０５】
（メールデータベース４２１）
メールデータベース４２１は、ユーザに送信するメールを作成するための各種データを格納している。
【０１０６】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１０７】
（ウェブページデータベース４２３）
ウェブページデータベース４２３は、携帯端末６に表示される画像提供サイトのウェブページを作成するための各種データを格納している。
【０１０８】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１０９】
図示はしないが、記憶部４０２は、写真シール作成装置１から受信した画像などのデータを一時的に保存する一時保存データベースも有している。
【０１１０】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１１１】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１１２】
（制御部６０１の詳細）
図１２に示すように、制御部６０１は、通信制御部６１１、入力制御部６１２、および表示制御部６１３を備えている。
【０１１３】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１１４】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１１５】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１１６】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１１７】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１１８】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１１９】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１２０】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１２１】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１２２】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１２３】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１２４】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１２５】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１２６】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１２７】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１２８】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１２９】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１３０】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１３１】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１３２】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１３３】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１３４】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１３５】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１３６】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１３７】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１３８】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１３９】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１４０】
図１５（ｃ）に示すように、ウェブページ１１０７は、一つのサムネイル画像１１０４、および、全ての画像を保存するためのリンク画像１１０８を含んでいる。
【０１４１】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１４２】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１４３】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１４４】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１４５】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１４６】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１４７】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１４８】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１４９】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１５０】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１５１】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１５２】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１５３】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１５４】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１５５】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１５６】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１５７】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１５８】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１５９】
携帯端末６の通信制御部６１１は、通信部６０３を通じて、送信された画像を受信し、記憶部６０２に保存する（ステップＳ３２）。以上により、携帯端末６への画像保存処理が完了する。
【０１６０】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１６１】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１６２】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１６３】
（ユーザの満足度を推定するための構成）
以下に、撮影画像管理システム１０を構成する写真シール作成装置１及び管理サーバ４（画像管理システム）の各々における、写真シール作成装置１において生成された複数の画像（編集済の画像を含む）の管理について説明する。本実施形態に係る写真シール作成装置１及び管理サーバ４は、上述の構成に加え、以降に記載する構成（機能）を備えている。
【０１６４】
（管理サーバ）
管理サーバ４の制御部４０１の備える通信制御部４１１（コメント取得手段）は、写真シール作成装置１において生成された画像を通信部４０３を通じて取得し、取得した画像を画像管理部４１４に供給する。
【０１６５】
また、通信制御部４１１は、携帯端末６（端末装置）を介して入力されるユーザの遊戯に関するコメント（以降では、単に、「コメント」とも記載する）を受け付ける。例えば、通信制御部４１１は、管理サーバ４により管理されている画像を携帯端末６において閲覧するために当該携帯端末６において実行されるアプリケーション（以降、画像閲覧用アプリケーション）を用いて管理サーバ４にアクセスしている携帯端末６において画像が閲覧されている際に、画像閲覧用アプリケーションのコメント入力機能を用いてユーザにより入力されるコメントを受け付ければよい。
【０１６６】
ここで、編集制御部３１３が受け付けるコメントの一例として、（１）写真シール作成装置１が設置されている店舗に対するコメント、（２）写真シール作成装置１（又は、写真シール作成装置の提供するサービス）に対するコメント、（３）写真シール作成装置１のメーカーに関するコメント、及び、（４）画像に対するコメント、などを挙げることができる。通信制御部４１１は、受け付けたユーザのコメントを、画像管理部４１４に供給する。
【０１６７】
なお、通信制御部４１１は、写真シール作成装置１における一回のゲームで作成された全ての画像について共通のコメントを受け付けてもよいし、全ての画像の各々に対して個別のコメントを受け付けてもよいし、全ての画像のうちの一枚だけにコメントを受け付けてもよい。また、通信制御部４１１は、一日に複数回のゲームが行われた場合には、一日に生成された全ての画像（１つの写真シール作成装置において生成された全ての画像であってもよいし、複数の写真シール作成装置において生成された全ての画像であってもよい）に対して共通のコメントをつけてもよい。このように、複数の画像に対して共通のコメントを受け付けた場合には、受け付けたコメントは後述する画像管理部４１４により複数の画像の全てに関連づけられて管理される。また、複数の画像に対して受け付けた共通のコメントと、画像毎に個別に受け付けたコメントとは、区別して管理されることが好ましい。
【０１６８】
画像管理部４１４は、通信制御部４１１から供給された１又は複数の画像およびコメントに基づき、当該画像の被写体となっているユーザの満足度を推定する。ここで、本実施形態に係る管理サーバ４の制御部４０１の備える画像管理部４１４の要部構成について、図１８を参照して説明する。図１８は、本実施形態に係る管理サーバ４の備える画像管理部４１４の要部構成を示すブロック図である。画像管理部４１４は、図１８に示すように、満足度推定部４４２（推定手段）、及び、管理部４４１（管理手段、修正受付手段）を備えている。
【０１６９】
管理部４４１は、写真シール作成装置１において入力された、又は、画像閲覧用アプリケーションのコメント入力機能により入力されたコメントを、当該コメントが入力される際に画像閲覧用アプリケーションにより閲覧可能に携帯端末６に表示されていた画像に関連づけて画像データベース４２４に格納する。本実施形態では、管理部４４１は、画像およびコメントを記憶部４０２の画像データベース４２４に格納することにより管理するが、もちろん、外部の記録装置に格納することにより管理してもよい。
【０１７０】
このとき、管理部４４１は、コメント及び画像と共に、当該画像の特性を示す画像情報を関連付けて管理することが好ましい。ここで、画像情報としては、例えば、画像（編集画像及び撮影画像を含む）を作成した写真シール作成装置の設置されている店舗、写真シール作成装置の機種、該機種のソフトウェアのバージョン、画像の形状及び大きさ、選択コース（撮影モード）、背景、スタンプ及び落書きなどの合成画像の情報、撮影日時、並びに、該画像が管理サーバ４に保存された日付などを挙げることができる。
【０１７１】
また、管理部４４１は、コメントに対するユーザの修正指示（追記指示を含む）を受け付ける。例えば、管理部４４１は、画像及びコメントを表示している携帯端末６から当該コメントに対するユーザの修正指示を取得することにより、修正指示を受け付ければよい。管理部４４１は、画像に関連づけて画像データベース４２４に格納されているコメントを読み出し、満足度推定部４４２に供給する。
【０１７２】
満足度推定部４４２は、管理部４４１により画像データベース４２４から読み出されたコメントを解析すると共に、当該コメントの内容から遊戯に関するユーザの傾向を所定の基準により数値化する処理、および、所定の種類に分類する処理の少なくとも何れかを行う。コメントの内容を所定の基準により数値化する処理とは、例えば、コメントの内容からユーザの満足度などを推定する処理である。また、コメントの内容を所定の種類に分類する処理とは、例えば、ユーザの嗜好の傾向及びユーザ間の話題の傾向などを推定する処理である。満足度推定部４４２は、例えば、コメントの内容が、予め設けられている複数の種類の分類の何れに属するかを判定することにより、コメントの内容を所定の種類に分類することができる。
【０１７３】
なお、コメントからユーザ満足度及び嗜好の傾向などを推定する処理においては、満足度推定部４４２は、例えば、まず、コメントを自然言語解析により解析し、単語、助詞、形容詞、及び、動詞などに分解する。次に、満足度推定部４４２は、コメントから分解された複数の語句から、満足度及び嗜好の傾向として使用される可能性のある語句として語句データベース（不図示、例えば記憶部４０２に格納されていればよい）に登録されている語句を抽出する。そして、満足度推定部４４２は、抽出した語句を、所定のデータベース（抽出語句格納データベース）へ格納すると共に、当該抽出した語句の抽出語句格納データベースにおける格納先と、コメントの対象となっている画像の画像データベースにおける格納先とを関連付ける。なお、使用される可能性のある語句としては、例えば、店舗名、有名人名、地域名などを挙げることができ、また、それらの略称や通称も同様に使用される可能性のある語句とすることができる。
【０１７４】
ここでは、コメントの内容からユーザの満足度を推定する処理を例に挙げて説明する。満足度推定部４４２は、まず、コメントの対象（例えば、店舗、写真シール作成装置、画像など）を示すワード（以降、コメント対象ワードとも記載）を抽出することにより、コメント対象を解析する。満足度推定部４４２は、コメント対象が複数存在する場合には、コメントのうちの何れの部分がどのコメント対象に対するコメントであるかをさらに解析する。
【０１７５】
コメント対象ワードのうち店舗を示すワードとしては、例えば、（１）「渋谷」及び「新宿」などの地域を示すワード、並びに、（２）住所、店舗名（例えば、ゲームセンターニュー○○、難波○○、○○ワンダー○○、及び、○○ワールドなど）及び当該店舗に設置されている他のゲーム機器などの店舗を直接又は間接的に示すワードなどが挙げられる。写真シール作成装置を示すワードとしては、例えば、（１）写真シール作成装置の機種名を示すワード、（２）写真シール作成装置における撮影モード（例えば、○○ショット、及び、美顔など）（又は編集モードなど）を示すワード、（３）写真シール作成装置の宣伝（販促）モデル（いわゆる、イメージキャラクター）などの有名人の名前又は略称などを示すワード、並びに、（４）写真シール作成装置のメーカーの名称又は略称などを示すワードなどが挙げられる。また、画像を示すワードとしては、例えば、画像の特徴を示すワード（例えば、コラージュのすごいもの、ななめ撮影、ななめプリ、ピン撮、及び、ピンプリなど）などが挙げられる。
【０１７６】
次に、満足度推定部４４２は、肯定的な意味を示すワード、及び、否定的な意味のワードなどの評価を示すワード（以降、「評価ワード」とも記載）を抽出する。肯定的（ポジティブ）な意味を示す評価ワードとしては、例えば、「きれい」、「楽しい」及び「盛れた」などが挙げられ、否定的（ネガティブ）な意味を示す評価ワードとしては、例えば、「汚い」、「楽しくない」及び「失敗」などが挙げられる。
【０１７７】
そして、満足度推定部４４２は、コメント対象ワードから解析したコメント対象に対する評価ワードに基づき、コメント対象の評価を推定することにより、コメント対象に対するユーザの満足度を推定する。例えば、満足度推定部４４２は、満足度として、ユーザがコメント対象に対してプラスの感情（例えば、喜、楽など）を持っているか、マイナスの感情（例えば、怒、哀など）を持っているか、などを推定することもできる。
【０１７８】
満足度推定部４４２は、解析したコメントが写真シール作成装置１の設置されている店舗に対するコメントである場合には、当該店舗に対する評価ワードに基づいて、店舗に対するユーザの満足度を判定する。また、解析したコメントが写真シール作成装置１に対するコメント、又は、画像に対するコメントである場合には、満足度推定部４４２は、各コメント対象に対する評価ワードに基づいて、写真シール作成装置１に対するユーザの満足度、又は、画像に対するユーザの満足度を推定する。
【０１７９】
また、満足度推定部４４２は、上述のようにコメント対象を解析し、評価ワードを抽出することにより、ユーザのコメント対象に対するニーズを分析することができる。これにより、管理サーバ４は、ユーザのコメントを、ユーザへ提供するサービスの向上に役立てることができるため、ユーザへ提供するサービスの向上を図ることができる。
【０１８０】
なお、コメントの内容を所定の基準により数値化する処理は、例えば、コメントにおける総ワード数（単語数）に対する肯定的な評価ワード（又は、否定的な評価ワード）数の割合、又は、コメントにおける肯定的な評価ワード数と否定的な評価ワード数との割合などを算出することによって行うことができるが、これに限定されるものではない。
【０１８１】
（満足度の推定）
次に、満足度推定部４４２におけるユーザの満足度の推定に関する一連の処理の流れについて、図１９を参照して説明する。図１９は、本実施形態に係る満足度推定部４４２におけるユーザの満足度の推定に関する一連の処理の流れを示すフローチャートである。
【０１８２】
満足度推定部４４２は、管理部４４１から、画像と関連付けて画像データベース４２４に格納されているコメントを取得し、ユーザの満足度の推定に関する処理を開始する。
【０１８３】
満足度推定部４４２は、まず、管理部４４１から供給されたコメントから、当該コメントの対象（店舗、写真シール作成装置、及び、画像など）を示すコメント対象ワードを抽出する（ステップＳ１０１）。例えば、満足度推定部４４２は、コメント対象ワードとして、（１）当該コメントが関連付けられている画像を生成した写真シール作成装置１の設置されている店舗を示すワード、（２）写真シール作成装置１を示す、又は、写真シール作成装置１の提供するサービス（ゲーム）を示すワード、（３）写真シール作成装置１のメーカーを示すワード、及び、（４）画像を示すワードなどを抽出する。
【０１８４】
コメント対象ワードを抽出すると、満足度推定部４４２は、次に、抽出したコメント対象ワードの示すコメント対象に関する評価ワード（肯定的な評価ワード、及び、否定的な評価ワード）を抽出する（ステップＳ１０２）。
【０１８５】
そして、満足度推定部４４２は、抽出したコメント対象ワード及び評価ワードから、コメント対象に対するユーザの満足度を推定する（ステップＳ１０３）。
【０１８６】
上述のように、管理サーバ４は、ユーザのコメントを解析することにより、各コメント対象に対するユーザの満足度を推定することができる。また、ユーザの満足度が低いコメント対象については、解析した否定的な評価ワードの示す内容を改善することにより、ユーザに対するサービスを向上させることができる。
【０１８７】
さらに、満足度推定部４４２は、各コメント対象に対する評価ワードから、各コメント対象についてどのような点に満足しているか、満足していないかを推定することにより、ユーザのニーズを分析することもできる。これによって、ユーザのニーズに合わせてサービスを改善することにより、ユーザに対してよりよいサービスを提供することができる。
【０１８８】
上記では、満足度推定部４４２においてユーザの満足度を推定する構成を例に挙げて説明したが、満足度推定部４４２は、更に、ユーザの満足度の推定に加えて、又は、ユーザの満足度に代えて、ユーザの嗜好の傾向を推定する。ユーザの嗜好としては、例えば、ユーザの好きな、店舗、写真シール作成装置の機種、写真シール作成装置の宣伝モデル、撮影時のポーズ、及び、編集内容（スタンプなど）を挙げることができる。また、ユーザの嗜好としてユーザ間での話題の傾向を推定することにより、最近のユーザの嗜好の傾向を推定することもできる。
【０１８９】
また、満足度推定部４４２は、ユーザの嗜好の傾向の分類を推定してもよい。この場合には、予め、複数のカテゴリーに嗜好の傾向が分類されており、ユーザの嗜好の傾向が分類されている嗜好の傾向の何れに分類されるかを判定することにより、ユーザの嗜好の傾向を推定すればよい。
【０１９０】
また、本実施形態では、画像閲覧用アプリケーションのコメント入力機能を用いて入力されるユーザのコメントを受け付ける構成を例に挙げて説明したが、これに限定されるものではない。例えば、一般的なＷｅｂブラウザ利用して管理サーバ４にアクセスしている携帯端末６からユーザのコメントの入力を受け付ける構成を採用することもできる。
【０１９１】
なお、管理サーバ４において、画像閲覧用アプリケーションを利用して画像が閲覧されている際にコメントの入力を受け付ける構成を例に説明したが、これに限定されるものではない。例えば、管理サーバ４がＳＮＳ（Social Networking Service）の機能（例えば、写真シール作成装置１で作成された画像、日記や呟きを投稿して他のユーザに公開できる機能）を有するウェブサービスを提供し、当該ＳＮＳを利用して投稿された日記や呟きをコメントとして取得する構成を採用することもできる。
【０１９２】
さらに、本実施形態では、写真シール作成装置１においてユーザのコメントの入力を受け付ける構成を採用することもできる。この場合には、編集制御部３１３は、撮影画像に対する編集操作に加え、ユーザからコメントの入力を受け付ける入力受付手段としても機能すればよい。また、事後接客制御部３１５が入力受付手段として機能することにより、事後接客処理においてユーザのコメントを受け付けてもよい。
【０１９３】
このように、写真シール作成装置１においてユーザから受け付けるコメントは、編集処理でのコメント（写真シール作成装置１での編集操作においてユーザにより入力されるコメント及びスタンプなど）とは異なるコメントであって編集処理として画像に反映されないコメントであることが好ましい。もちろん、編集処理の内容を示すユーザの編集操作（例えば、スタンプや、手書きの文字入力など）からコメントを受け付ける構成を採用することもできる。
【０１９４】
そして、通信制御部３１１（送信手段）は、編集制御部３１３において受け付けたユーザのコメントを編集処理の施された画像（編集画像）に関連付けて、通信部２０３を通じて管理サーバ４へ送信する。コメントは、画像に別箇のデータとして関連づけられていてもよいし、コメントを示すコメントデータが画像を示す画像データのヘッダに含まれていてもよい。
【０１９５】
〔変形例〕
実施形態１では、写真シール作成装置１（又は、画像閲覧用アプリケーションのコメント入力機能）においてコメントの入力を受け付ける構成を例に挙げて説明したが、本発明はこれに限定されるものではない。例えば、写真シール作成装置１において生成された画像が掲載されたネットワーク上のページ（例えば、ブログ、ＳＮＳ、及び、呟き掲示板など）に記載されている日記及び呟きなどをコメントとして取得する構成を採用することもできる。
【０１９６】
なお、本変形例では、携帯端末６において画像閲覧用アプリケーションを実行した上で管理サーバ４にアクセスすることによって、携帯端末６を利用して画像を閲覧することが可能となる構成を例に説明する。
【０１９７】
（写真シール作成装置）
本変形例に係る写真シール作成装置１は、生成した画像をそのまま管理サーバ４に送信する。
【０１９８】
（管理サーバ）
管理サーバ４の制御部４０１の備える通信制御部４１１（コメント取得手段）は、画像を、通信部４０３を通じて写真シール作成装置１から取得し、取得した画像を画像管理部４１４に供給する。
【０１９９】
画像管理部４１４は、通信制御部４１１から供給された画像、及び、当該画像が掲載されたネットワーク上のページに記載のコメントに基づき、当該画像の被写体となっているユーザの満足度を推定する。
【０２００】
ここで、本変形例に係る管理サーバ４の制御部４０１の備える画像管理部４１４’の要部構成について、図２０を参照して説明する。図２０は、本実施形態の変形例に係る管理サーバ４の備える画像管理部４１４’の要部構成を示す図である。なお、本実施形態では、説明の便宜上、実施形態１に係る管理サーバ４と同様の機能を有する構成要素については同一の符号を付し、その説明を省略する。本実施形態では、主に、実施形態１との相違点について説明するものとする。
【０２０１】
本変形例に係る管理サーバ４の制御部４０１の備える画像管理部４１４’は、図２０に示すように、満足度推定部４４２（推定手段）、管理部４４１（管理手段）、特定情報付与部４４３（付与手段）、及び、画像掲載ページ検索部４４４（検索手段）を備えている。
【０２０２】
特定情報付与部４４３は、通信制御部４１１から画像を取得すると共に、画像に対して当該画像を特定するための特定情報を付与する。ここで、特定情報付与部４４３により付与される特定情報は、当該画像をインターネットなどのネットワーク上から検出するために用いられる情報である。特定情報の一例としては、例えば、写真シール作成装置１を提供している会社を特定する情報、写真シール作成装置１の機種などを特定する情報、及び、画像の被写体となっているユーザを特定する情報などが挙げられる。
【０２０３】
特定情報付与部４４３は、例えば、画像を示す画像データとは別箇のデータとして特定情報を付与してもよいし、画像を示す画像データのヘッダに特定情報を付加することにより特定情報を付与してもよいし、特に限定されない。本変形例では、特定情報を画像のヘッダに特定情報を付加する構成を例に挙げて説明する。
【０２０４】
管理部４４１は、特定情報付与部４４３において特定情報の付与された画像を、記憶部４０２の備える画像データベース４２４に格納する。ここで、本変形例では、ユーザは、画像データベース４２４に格納されている編集画像をインターネットなどのネットワーク上の画像を掲載可能なウェブページ（以降、単にページとも記載する）に投稿し、掲載することができる（詳細については後述する）。
【０２０５】
画像掲載ページ検索部４４４は、ネットワーク上のページ（例えば、ブログ、ＳＮＳ及び呟き掲示板など）から、特定情報付与部４４３により特定情報の付加されている画像の掲載されているウェブページを検索する。具体的には、画像掲載ページ検索部４４４は、画像データベース４２４から、検索の対象となる画像に付与されている特定情報を読み出し、当該特定情報と同じ特定情報が付与されている画像が掲載されているウェブページを検索する。そして、画像掲載ページ検索部４４４は、検索したウェブページに含まれる日記及び呟きなどを、コメントとして取得する。
【０２０６】
管理部４４１は、画像掲載ページ検索部４４４における検索の対象となった画像に、取得されたコメントを関連づけて画像データベース４２４に格納する。なお、管理部４４１は、画像掲載ページ検索部４４４における検索の対象となった画像に、検索されたウェブページを関連付けて画像データベース４２４に格納してもよい。また、管理部４４１は、画像に関連づけて画像データベース４２４に格納されているコメントを読み出し、満足度推定部４４２に供給する。
【０２０７】
満足度推定部４４２は、管理部４４１により画像データベース４２４から読み出されたコメントを解析すると共に、解析結果に基づいてユーザの満足度を推定する。なお、ユーザの満足度の推定については、実施形態１と同様であるため、ここでは説明を省略する。
【０２０８】
上述の構成によれば、本変形例に係る管理サーバ４は、ネットワーク上のページに画像と共に投稿されているユーザのコメントに基づいてユーザの満足度を推定することができる。つまり、管理サーバ４は、実施形態１に記載のようにユーザからコメントの入力を受け付けなくとも、ユーザの満足度を推定することができる。これにより、管理サーバ４は、ユーザのコメントをネットワーク上のページから取得し、ユーザへ提供するサービスの向上を図ることができる。
【０２０９】
なお、本変形例では、写真シール作成装置１においてコメントの入力を受け付けない構成を例に挙げて説明したが、これに限定されず、写真シール作成装置１においてコメントの入力を受け付けてもよい。この場合には、本変形例に係る管理サーバ４は、写真シール作成装置において入力を受け付けたコメントと、ネットワーク上から取得したコメントとの双方に基づいて、ユーザの満足度を推定すればよい。
【０２１０】
（画像のネットワーク上のページへの掲載）
写真シール作成装置１のユーザは、携帯端末６において画像閲覧用アプリケーションを用いて管理サーバ４にアクセスすることにより、特定情報の付加された画像を、ネットワーク上のページ（ブログ、ＳＮＳ、及び、呟き掲示板など）に掲載することができる。
【０２１１】
例えば、ユーザは、まず、携帯端末６により画像閲覧用アプリケーションを用いて管理サーバ４にアクセスし、管理サーバ４において管理されている特定情報の付加された画像から、所望の画像を選択してダウンロードする。そして、ダウンロードした画像をネットワーク上のページに掲載すればよい。また、画像を掲載したページにコメントを掲載することもできる。このとき、ユーザは、画像を掲載したページがＳＮＳである場合にはコメントとして日記を掲載すればよいし、画像を掲載したページが呟き掲示板である場合にはコメントとして呟きを掲載（投稿）すればよい。
【０２１２】
（画像観覧用アプリケーションにおける画像の投稿機能）
また、本変形例では、特定情報の付加された画像をネットワーク上の画像を掲載可能なページに掲載するこの場合に、画像観覧用アプリケーションの機能として、ユーザからコメントの入力を受け付けるコメント入力機能、及び、受け付けたコメントを画像と共にネットワーク上のページに直接投稿できる投稿機能などを更に設けてもよい。
【０２１３】
ユーザは、コメント入力機能を用いて、携帯端末６の入力部６０４を操作することにより、写真シール作成装置１が設置されている店舗に対するコメント、写真シール作成装置１に対するコメント、画像に対するコメントなどを入力することができる。このとき、管理サーバ４の画像管理部４１４の管理部４４１は、入力されたユーザのコメントを画像に関連づけて画像データベース４２４に格納する。
【０２１４】
そして、ユーザは、投稿機能を用いて、画像に関連づけられているコメントであってコメント入力機能を用いて入力したコメントを、画像と共にネットワーク上のページに直接投稿することができる。投稿機能は、例えば、ユーザにより選択された画像をネットワーク上のブログ、ＳＮＳ及び呟き掲示板などに投稿するためのユーザインターフェース（以降、投稿ＵＩとも記載する）（換言すれば、画像をネットワーク上において閲覧可能にするためのユーザインターフェースであり、例えば、投稿ボタンなど）を、画像閲覧用アプリケーションを実行している携帯端末６の表示部６０５に表示させることなどにより実現することができる。
【０２１５】
管理サーバ４は、ユーザにより投稿ＵＩが選択された場合、投稿の対象となる画像を当該管理サーバとは異なるネットワーク上の他のサーバへ送信する。そして、他のサーバが、受信した画像を当該他のサーバの提供するページに掲載する。これによって、画像は、ネットワーク上のページに投稿されることになる。
【０２１６】
なお、管理サーバ４は、ユーザにより投稿ＵＩが選択された場合、投稿の対象となる画像が格納されている画像データベース４２４へのリンク情報のみを、ネットワーク上の他のサーバへ提供してもよい。つまり、他のサーバが提供するページにおいて画像が表示される場合には、管理サーバ４の画像データベース４２４に格納されている画像が表示されることになる。この構成によれば、管理サーバ４は、当該管理サーバ４において管理している画像がネットワーク上に拡散されてしまうことを防ぐことができる。
【０２１７】
上述の構成によれば、管理サーバ４の制御部４０１は、投稿ＵＩを介して何れの画像が何れのネットワーク上のページ（ブログ、ＳＮＳ及び呟き掲示板など）に投稿されたかを管理することができる。したがって、画像掲載ページ検索部４４４におけるネットワーク上の画像の検索に関する処理量を低減するこができる。
【０２１８】
なお、本変形例に係る管理サーバ４のウェブページ作成部４１３は、或るユーザに関連づけられて画像データベース４２４に格納されている画像を時系列（写真シール作成装置で生成された順）に表示する時系列表示画面を生成する画面生成手段としても機能してもよい。この場合に、ウェブページ作成部４１３は、画像のうちコメント（又はウェブページ）が関連付けられている画像については、関連付けられているコメントを画像と共に時系列表示画像に表示してもよい。また、ウェブページ作成部４１３は、時系列表示画像において、コメントが関連付けられている画像と共にコメントが関連付けられている旨を示すアイコンを表示し、ユーザによりアイコンが選択された場合にコメントを表示してもよく、時系列表示画面におけるコメントの表示態様は特に限定されない。
【０２１９】
これにより、ユーザは、写真シール作成装置１においてコメントを入力した場合には、時系列表示画像において、入力したコメントの内容を画像と併せて確認することができる。また、ネットワーク上のページに画像を投稿して日記や呟きなどのコメントを掲載した場合には、時系列表示画像において、ネットワーク上のページに掲載したコメントの内容を画像と併せて確認することができる。
【０２２０】
また、会員データベース４２２に格納されている各ユーザを特定するためのユーザ特定情報には、何れのユーザと友達であるかを示す友達情報が含まれていてもよい。この場合には、ウェブページ作成部４１３は、或るユーザのユーザ特定情報を参照して、当該或るユーザの友達を一覧表示する友達一覧画面を生成してもよい。このとき、ウェブページ作成部４１３は、さらに、各友達を有料会員であるか無料会員であるかにより区別して一覧表示してもよい。
【０２２１】
例えば、ウェブページ作成部４１３は、有料会員又は無料会員であることを示すアイコンを、一覧表示される各友達と共に表示することにより、有料会員であるか無料会員であるかを区別することができる。これにより、友達一覧画面を見る或るユーザは、何れの友達が有料会員であるか又は無料会員であるかを一目で知ることができる。
【０２２２】
なお、本実施形態では、上述したように、管理サーバ４が、ユーザに対してＳＮＳの機能を提供することもできる（以降では、単に、ＳＮＳを提供する、とも表現する）。
【０２２３】
このとき、管理サーバ４は、提供するＳＮＳにより、例えば、ユーザ間（友達登録しているユーザ同士）の画像の共有、友達登録している他のユーザ（友達）の画像の閲覧、友達の画像に対する評価（後述する「いいね」など）などが可能であってもよい。また、管理サーバ４は、提供するＳＮＳにより、友達のページに画像が投稿された旨のメールやお知らせをユーザに通知してもよいし、携帯端末６において画像閲覧用アプリケーションを起動した際に（又は、携帯端末６が当該ＳＮＳにアクセスした際に）携帯端末６の表示部６０５に友達の画像を表示させてもよい。
【０２２４】
また、管理サーバ４は、提供するＳＮＳにおいて、友達の画像をアルバム形式で閲覧可能にしてもよいし、ユーザと友達とで画像を見せ合う専用のアルバムを作成してもよい。さらに、管理サーバ４は、提供するＳＮＳの１つの機能であるカレンダー機能において、カレンダーにユーザ及び友達の少なくとも何れかの画像を掲載してもよい。この場合には、画像が写真シール作成装置において生成された日に対応するカレンダー上の日付の欄に画像が掲載されてもよいし、ユーザ又は友達が画像を投稿した日に対応するカレンダー上の日付の欄に画像が掲載されてもよい。後者の場合であれば、ユーザは、自身や友達が画像をＳＮＳにいつ掲載したかを容易に知る（思い出す）ことができる。
【０２２５】
また、管理サーバ４は、カレンダーに、当該ユーザがお気に入りとして登録しているモデル会員のスケジュールを掲載してもよい。なお、本実施形態では、会員属性として無料会員および有料会員（一般会員）とは異なるモデル会員があり、画像提供サイトや当該ＳＮＳではモデル会員が撮影した画像を一般会員が閲覧することができる。
【０２２６】
なお、管理サーバ４は、提供するＳＮＳにおいて、他人がユーザの画像を閲覧可能するための条件として、ユーザと友達であることを設定可能であってもよい（つまり、ユーザは、友達の友達であって自身の友達ではない人物の画像を閲覧することはできない）。これによれば、ユーザは、自分の画像が不特定の人物に閲覧されることを望まない場合には、友達のみが閲覧可能にすることができる。
【０２２７】
また、管理サーバ４の提供するＳＮＳは、ユーザの友達と友達登録されている他のユーザを、友達がユーザに紹介できる機能を有していてもよい。この場合には、ＳＮＳは、例えば、ユーザが友達から紹介を受けた他のユーザの画像を閲覧したときに当該ユーザと他のユーザとの友達登録を可能にしてもよいし、ユーザが紹介を受けた他のユーザと友達登録したときに当該他のユーザの画像を閲覧可能にしてもよい。また、管理サーバ４は、提供するＳＮＳにおいて、写真シール作成装置１において同じ画像ＩＤを入力したユーザ同士を自動的に友達登録してもよいし、画像提供サイトにおいて同じシールＩＤ又は画像ＩＤを入力したユーザ同士を友達登録してもよい。
【０２２８】
〔実施形態２〕
従来、写真シール作成装置において生成された画像を管理する管理サーバは、画像の被写体となっているユーザに対して当該画像を提供することが一般的である。つまり、ユーザは、自身が被写体となっている画像を自身が閲覧して楽しむことができる一方で、当該自身が被写体となっている画像を他のユーザに公開することができなかった。
【０２２９】
これに対し、本実施形態に係る管理サーバ４は、ユーザに関連付けられている画像のうち、ユーザが所望する画像を当該ユーザとは異なる他のユーザに公開する公開画像として管理すると共に、公開画像を他のユーザに閲覧可能に提供する構成を採用する。
【０２３０】
本実施形態に係る管理サーバ４、及び、写真シール作成装置１の構成について、以下に説明する。なお、本実施形態では、ユーザが公開画像として他のユーザに公開することを所望する画像の選択を、写真シール作成装置１において受け付ける構成を例に説明するが、画像閲覧用アプリケーションを用いて当該管理サーバ４にアクセスしている携帯端末６から入力されるユーザの画像の選択操作を受け付けてもよく、特に限定されない。
【０２３１】
（写真シール作成装置）
本実施形態に係る写真シール作成装置１は、生成した複数の画像のうち、ユーザが他のユーザに公開することを希望する画像に対するユーザの選択操作を受け付けると共に、ユーザにより選択されたことを示すフラグ（公開フラグ）を選択された画像に付加し、管理サーバ４に送信する。具体的には、写真シール作成装置１は、編集部１２において、画像のうちユーザが他のユーザに公開することを希望する画像に対する当該ユーザの選択操作を受け付ける。そして、編集制御部３１３は編集部１２において受け付けたユーザの選択操作により選択された画像に公開フラグを付加し、通信制御部３１１は通信部２０３を通じて公開フラグの付与された画像を含む複数の画像を管理サーバ４に送信する。
【０２３２】
ユーザが画像を他のユーザに公開することを希望する場合としては、例えば、編集処理が上手くいった又は気に入った（盛れた）ため他のユーザに公開することを希望する場合などを挙げることができる。
【０２３３】
なお、ユーザにより他のユーザに公開することを希望する画像として選択された画像に当該ユーザを含む複数のユーザが含まれている（換言すれば、当該ユーザを含む複数のユーザを撮影した画像である）場合には、公開を望まないユーザが居ることも考えられる。そこで、写真シール作成装置１は、編集制御部３１３において、画像に含まれる全てのユーザの顔認識を行うと共に、認識されたユーザの顔部分（又は、目などの顔の一部）にスタンプ画像又はモザイク画像などを合成したり、ぼかしを入れる処理を行うことなどによってユーザの顔を隠す処理を行ってもよい。なお、顔部分を隠す処理の対象となるユーザは、公開を希望するユーザ以外の全てのユーザであってもよいし、公開を望まないユーザのみであってもよい。
【０２３４】
（管理サーバ）
管理サーバ４は、写真シール作成装置１において生成された複数の画像を、それぞれ被写体となっているユーザに関連づけて記憶部４０２の画像データベース４２４に格納することにより管理している。
【０２３５】
このとき、本実施形態に係る管理サーバ４の制御部４０１の備える画像管理部４１４は、或るユーザに関連づけられている複数の画像のうち、或るユーザ以外の他のユーザに公開可能な画像として選択されている公開画像を管理する公開画像管理手段としても機能する。
【０２３６】
具体的には、画像管理部４１４は、写真シール作成装置１から取得した画像に公開フラグを関連づけて公開画像として記憶部４０２の画像データベース４２４に格納することにより管理する。なお、公開フラグは画像と別箇のデータであってもよいし、画像のヘッダに付加されていてもよいし、特に限定されない。また、画像データベース４２４には、公開画像を格納する公開画像格納用領域（フォルダ）が設けられていてもよい。
【０２３７】
なお、公開画像の選択を管理サーバ４において受け付ける構成を採用することもできる。この場合には、例えば、管理サーバ４は、ウェブページ作成部４１３において作成したウェブページを携帯端末６に送信する。携帯端末６は、当該ウェブページを表示部６０５に表示することにより、写真シール作成装置１（又は、複数の写真シール作成装置（写真シール作成装置１を含む））で作成された画像を公開候補の画像として一覧表示する。また、携帯端末６は、一覧表示された公開候補の画像から公開を希望する画像を選択するユーザ操作を入力部６０４を介して受け付けると共に、受け付けたユーザ操作によって選択された画像を示す情報を管理サーバ４に送信する。管理サーバ４は、携帯端末６からユーザにより選択された画像を示す情報を取得すると、当該情報の示す画像に公開フラグを付与することにより、当該画像を公開画像として管理する。これによって、管理サーバ４は、公開画像の選択を受け付けることができる。
【０２３８】
さらに、管理サーバ４は、画像に公開フラグが付与されると（すなわち、ユーザにより公開画像が選択されると）、公開フラグが付与された画像に含まれる被写体のうち当該画像を公開画像として選択したユーザ以外の他のユーザに、当該画像が公開画像として公開されてもよいか否かを確認メールなどにより確認してもよい。例えば、確認メールには、公開画像として選択された画像に含まれる自身の顔を、（１）隠さずに公開することを許可するか、（２）隠すことを条件として公開することを許可するか、又は、（３）公開することを拒否するか、などを選択することができるウェブページを示すＵＲＬが記載されている。他のユーザは、このＵＬＲの示すウェブページにアクセスすることにより、画像が公開されることに対する可否を選択することができる。
【０２３９】
公開を希望する画像を選択したユーザは、このウェブページにおいて全てのユーザから、画像を公開することについて合意（許可）が得られた場合に、選択した画像を公開画像として公開することができる。また、管理サーバ４は、公開を希望する画像を選択したユーザ及び他のユーザに対して、最終的な公開の可否を通知してもよい。管理サーバ４は、画像が公開される場合には、さらに、何れのユーザの顔が隠されずに、又は隠されて公開されているのかを通知してもよい。また、管理サーバ４は、画像が公開される場合には、公開画像が公開されているウェブページを示すＵＲＬを併せて通知してもよい。
【０２４０】
また、ウェブページ作成部４１３は、公開画像を提供する公開画像提供手段であって、公開画像を当該公開画像が関連付けられているユーザ以外の他のユーザが閲覧可能に提供する公開画像提供手段としても機能する。このとき、ウェブページ作成部４１３は、例えば、画像閲覧用アプリケーションを用いて管理サーバ４にアクセスしている携帯端末６から公開画像を表示する旨の指示を取得した場合に、画像データベース４２４に格納されている複数の公開画像を、当該公開画像に関連付けられているユーザに寄らずに読み出し、読み出した各公開画像を一覧表示するウェブページを生成してもよい。なお、一覧表示される各公開画像は、例えば、サムネイル画像などにより縮小されて表示されればよい。
【０２４１】
これによって、ユーザは、自身の画像として管理されている画像のうち、編集処理の上手くいった画像を他のユーザに公開することができる。
【０２４２】
また、ウェブページ作成部４１３は、公開画像と共に、当該公開画像に関する画像情報を公開してもよい。このような画像情報が公開画像と共に公開されることにより、公開画像を閲覧したユーザは、画像情報を参照して写真シール作成装置の機種、バージョン、選択コースなどを真似することができ、これによって該公開画像と同じような画像を作成することができる。
【０２４３】
なお、ウェブページ作成部４１３は、公開画像および画像情報に加えて、実施形態１に示すようなユーザのコメントを更に公開してもよい。これによって、画像を公開しているユーザは、公開画像と共に自身のコメントを一般に公開することができる。また、公開画像を閲覧する他のユーザは、公開画像と共に、当該公開画像を公開しているユーザがゲームを行った際のゲームに関するコメントを閲覧することができる。これにより、ユーザへ提供するサービスをより向上させることができる。
【０２４４】
さらに、ウェブページ作成部４１３は、上述のようにして公開（他のユーザに提供）された公開画像を他のユーザが閲覧した回数を管理する閲覧管理手段としても機能する。具体的には、携帯端末６において一覧表示されている複数の公開画像のうち、当該携帯端末６において拡大表示するために選択されたことを示す閲覧指示を携帯端末６から取得する。閲覧指示を取得すると、ウェブページ作成部４１３は、選択された公開画像を高解像度で拡大表示可能なウェブページを生成し、携帯端末６に供給する。
【０２４５】
さらに、ウェブページ作成部４１３は、閲覧指示を取得する度に、閲覧指示の対象となる公開画像に関連付けて画像データベース４２４に格納されている、当該公開画像が閲覧された回数（閲覧回数）を示す閲覧回数情報の示す値を「１」インクリメントする。これにより、ウェブページ作成部４１３は、公開画像が閲覧回数を管理する。従って、写真シール作成装置１は、公開画像のうち、閲覧回数の多い公開画像を、他のユーザからの人気の高い公開画像として管理することができる。
【０２４６】
また、ウェブページ作成部４１３は、公開画像のうち閲覧回数の多い公開画像を人気の公開画像として一覧表示するウェブページ（人気画像ページ）を生成してもよいし、さらに、閲覧回数の多い順に公開画像に順位を設けてもよい。これにより、ユーザは、人気画像ページに自身の公開画像が掲載されることや、高い順位を得ることなどを目標にして、写真シール作成装置１の提供するゲームをより一層楽しむことができる。
【０２４７】
さらに、ウェブページ作成部４１３は、公開画像と共に、当該公開画像に関連付けて管理している閲覧回数を閲覧可能に提供（公開）してもよい。この場合、ウェブページ作成部４１３は、閲覧回数を、公開画像のユーザに対してのみ公開してもよいし、公開画像のユーザ及び他のユーザに対して公開してもよい。これにより、ユーザは、自身の公開画像の閲覧回数を知ることができるため、写真シール作成装置１の提供するゲームをより一層楽しむことができる。
【０２４８】
なお、本実施形態では、ウェブページ作成部４１３において、公開画像が他のユーザにより閲覧（拡大表示のために選択）された回数を管理する構成を例に説明したが、これに限定されない。例えば、ウェブページ作成部４１３は、公開画像を閲覧した他のユーザが、閲覧した公開画像の評価が高いと感じた場合などに押す（選択する）ユーザインターフェース（評価ＵＩ）を選択した回数を管理してもよい。この構成によれば、写真シール作成装置１は、公開画像が閲覧された際に評価ＵＩが押された回数の多い公開画像を人気の公開画像として管理することができる。
【０２４９】
評価ＵＩは、例えば、シンプルに「いいね」などの一段階のみの評価を受け付けるＵＩであってもよいし、多段階の評価（例えば、「良い」、「普通」及び「悪い」などの三段階の評価、並びに、「良い」、「やや良い」、「普通」、「やや悪い」及び「悪い」の五段階の評価など）を受け付けるＵＩであってもよいし、特に限定されるものではない。
【０２５０】
また、本実施形態では、写真シール作成装置１において、何れのユーザも公開画像を選択可能な構成を例に説明したが、これに限定されない。例えば、写真シール作成装置１においてユーザの会員属性を判定し、有料会員又は無料会員であると判定されたユーザのみが画像から公開画像を選択可能な構成としてもよいし、有料会員であると判定されたユーザのみが画像から公開画像を選択可能な構成とすることもできる。
【０２５１】
さらに、本実施形態では管理サーバ４においてユーザの会員属性を判定してもよい。この場合には、有料会員であると判定されたユーザの公開画像のみを人気画像ページに掲載することもできるし、有料会員であると判定されたユーザに対してのみ自身の公開画像の閲覧回数を公開することもできる。
【０２５２】
ここで、従来では、管理サーバにおいて管理されている画像は、当該画像の撮影日付、当該画像を生成した写真シール作成装置の機種、新着順などといった観点から分類されて管理されていることが一般的である。このため、ユーザが所望の画像（例えば、上述の公開画像として選択することを希望するお気に入りの画像）を検索する際に容易に検索できない場合があり、検索に時間がかかってしまう場合がある。
【０２５３】
しかし、上述の構成によれば、管理サーバ４は、公開画像として選択している画像を他像と区別して管理することができるため、ユーザは、公開画像として選択している画像の検索を容易に行うことができる。
【０２５４】
また、上述のように、管理サーバ４において公開画像の閲覧回数を管理することにより、ユーザは、公開画像として選択している画像のうち、他のユーザからの人気が高いと推定できる画像を容易に検索することができる。
【０２５５】
さらに、管理サーバ４は、公開画像を、当該管理サーバ４を管理する管理者により削除することができることが好ましい。例えば、公開画像が公序良俗や他人の著作物の侵害などの観点から相応しくない場合であっても、画像を公開しているユーザがそのことに気付かない場合もある。しかし、この構成によれば、このような場合に、管理者がユーザの代わりに公開画像を削除することができる。また、管理サーバ４は、このような場合には、公開画像を閲覧した他のユーザから、公開画像の削除の要請を受け付けることができることが好ましい。例えば、画像を公開するウェブページに、公開画像毎に、削除を要請するためのＵＩ（ボタン）が設けられていればよい。なお、公開画像が削除された場合には、該公開画像を公開していたユーザに対して、公開画像が削除された旨、及び、画像の公開に関する利用上の注意点などを記載したメールを送信することが好ましい。
【０２５６】
なお、本実施形態に係る各構成は、実施形態１に記載の各構成と組み合わせて用いることができる。この場合には、管理サーバ４の通信制御部４１１は、写真シール作成装置１から、公開フラグの付与された画像であってコメントが関連付けられた画像を取得する。そして、管理サーバ４は、画像及びコメントを用いて実施形態１の構成を実現しつつ、編集画像及び公開フラグを用いて本実施形態の構成を実現すればよい。
【０２５７】
〔実施形態３〕
本実施形態に係る管理サーバ４は、所定のグループに属するユーザの画像を、当該所定のグループに属する他のユーザに対して公開することができる。本実施形態に係る管理サーバ４の構成について、以下に説明する。なお、本実施形態においても、携帯端末６において画像閲覧用アプリケーションを実行することによって管理サーバ４に格納されている画像が閲覧可能な場合を例に挙げて説明する。また、本実施形態では、実施形態２においてユーザに選択された公開画像を、所定のグループに属する他のユーザに対して公開することもできる（つまり、全ての画像ではなく、公開画像のみを所定のグループに属する他のユーザに公開することもできる）。
【０２５８】
（管理サーバ）
管理サーバ４の画像管理部４１４は、本実施形態では、写真シール作成装置１から取得した画像に、当該画像の被写体となっているユーザを関連付けて管理する管理手段としても機能する。画像管理部４１４は、具体的には、画像とユーザとを関連づけて記憶部４０２の画像データベース４２４に格納することにより画像を管理する。
【０２５９】
また、会員データベース４２２には、画像に関連付けられているユーザを特定するユーザ特定情報が格納されている。本実施形態では、ユーザ特定情報として、ユーザの属する所定のグループ（例えば、地域、学校（在学中の学校および卒業した学校）の名前、年齢、学年、クラス、及び部活、並びに、ユーザが任意に設定可能なグループなど）を示すグループ情報が含まれている。なお、これらのユーザ特定情報は、例えば、携帯端末６において画像閲覧用アプリケーションを用いて管理サーバ４にアクセスすることにより、ユーザが任意に入力することができる。
【０２６０】
ユーザ特定情報として年齢の入力を受け付けることにより、管理サーバ４は、所定のグループにおける年齢の傾向を分析することができる。また、管理サーバ４は、所定のグループに属する他のユーザに公開可能な画像として公開画像を選択している場合には、公開画像を上述した画像情報のうちの写真シール作成装置の機種を示す情報を用いて分類（何れの写真シール作成装置において生成されたかを分類）してもよい。これによれば、管理サーバ４は、何れの写真シール作成装置において生成された画像について、どれだけのユーザがどれだけの画像を公開しようとしているのかを管理することができる。また、管理サーバ４は、公開されている画像が、所定のグループに属するユーザによりどの程度（何回）閲覧されているか、また、どのような評価（又はコメントなど）がされているかを管理することもできる。
【０２６１】
ウェブページ作成部４１３は、本実施形態では、撮影画像を、当該撮影画像に関連付けられている或るユーザの属する所定のグループと同じグループに属する他のユーザに提示する提示手段としても機能する。以降では、撮影画像を他のユーザが閲覧可能に提示することを、撮影画像を他のユーザに公開する、とも記載する。
【０２６２】
例えば、ウェブページ作成部４１３は、ユーザ特定情報に含まれるグループ情報を参照し、画像閲覧用アプリケーションを用いて管理サーバ４にアクセスしている他のユーザの携帯端末６において当該他のユーザの所定のグループと同じグループに属する或るユーザの画像を閲覧可能に表示するウェブページを作成する。そして、生成されたウェブページは、通信制御部４１１により通信部４０３を通じて携帯端末６に送信される。これにより、或るユーザの画像が、当該或るユーザと同じグループに属する他のユーザに公開される。
【０２６３】
また、管理サーバ４は、公開されている画像を閲覧した他のユーザから、公開されている画像に対するコメントの入力を受け付けてもよい。これによれば、画像を公開しているユーザは、他のユーザがどのようなコメント（感想）を持っているのかをしることができる。さらに、管理サーバ４は、公開されている画像に対してコメントを入力した他のユーザから、コメントと共に当該他のユーザの画像の投稿を受け付けてもよい。
【０２６４】
なお、本実施形態では、管理サーバ４は、複数の画像のうち、何れの画像を何れのグループの他のユーザに公開するかをユーザが選択（設定）できることがより好ましい。この場合には、例えば、管理サーバ４は、画像閲覧用アプリケーションを用いて当該管理サーバ４にアクセスしている携帯端末６から、当該管理サーバ４において管理している各画像に対する、公開可能なグループの設定指示を受け付ければよい。これにより、ユーザは、同じ学校に属する他のユーザまで公開可能な画像として選択し、他の画像を同じクラスに属するユーザまで公開可能な画像として選択することができる。
【０２６５】
上記の構成によれば、本実施形態に係る管理サーバ４は、写真シール作成装置１において生成された画像を、同じグループに属するユーザ間で共有することができる。これにより、例えば、ユーザは、グループが自身が在校中の学校である場合には、自身が在学中の学校に属する他のユーザの画像を自身の画像と併せて、学校のアルバムとして利用することができる。また、ユーザは、グループが自身が卒業した（する）学校及び卒業した（する）年度により決定されるグループである場合には、画像を卒業アルバムとして利用することもできる。
【０２６６】
また、ユーザは、公開可能なグループを自身の住んでいる地域（又は、出身地など）とすることにより、地域毎に特性のあるアルバムを楽しむこともでる。さらに、ユーザは、同じグループに属する他のユーザに自分の友達を紹介したり、同じグループに属する他のユーザであって交流の少ない他のユーザとの交流を深めることもできる。
【０２６７】
また、管理サーバ４は、ユーザに設定されているグループ情報を、他のユーザ（特に、同じグループに属する他のユーザ）に対して公開してもよい。さらに、管理サーバ４は、例えば、グループ情報として、地域に「大阪」、中学校に「Ａ中学」、高校に「Ｂ高校」が設定され、Ａ中学及びＢ高校の各学年において所属したクラスが設定されている場合には、ユーザにより、自身の属するグループとしてＡ中学の○○クラスに属することは公開するが、Ｂ高校の○○クラスに属することは公開しない、というような設定を受け付けてもよい。
【０２６８】
また、管理サーバ４は、自身の属するグループを公開したユーザに対して、公開したグループと同じグループに属する他のユーザの属するグループを公開してもよい。これによれば、自身の属するグループを公開したユーザは、自身の属するグループと同じグループにどんな他のユーザが属しているのかを知ることができる。この場合には、例えば、ユーザは、自身の属するグループとして「大阪」を公開していれば、同じ「大阪」のグループに属しているが属する中学校が「Ｃ中学」である他のユーザのグループ情報を知ることもできる。従って、管理サーバ４は、「Ａ中学」のグループに属するユーザ、及び、「Ｃ中学」のグループに属する他のユーザに対して、コミュニケーションを深める機会を提供することもできる。
【０２６９】
なお、管理サーバ４は、公開画像を公開しているユーザに対して、各公開画像について個別の閲覧情報を提供してもよい。ここで、閲覧情報としては、誰が公開画像を閲覧したかを示す情報、及び、公開画像が閲覧された時間を示す情報などを例に挙げることができる。管理サーバ４は、例えば、公開画像を閲覧した他のユーザの名前、ニックネーム又は会員ＩＤなどにより、誰が公開画像を閲覧したかを示す情報をユーザに提供してもよい。また、管理サーバ４は、ユーザに対して、公開画像が閲覧された際の閲覧開始時刻および閲覧終了時刻などにより、公開画像が閲覧された時間を示す情報をユーザに提供してもよい。これによって、ユーザは、誰が何れの公開画像をどれくらい閲覧していたのかを知ることができる。
【０２７０】
さらに、管理サーバ４は、公開画像を閲覧したユーザ（ユーザの携帯端末）に対して、公開画像に関する感想などのコメントを求めるショートメールなどを送信してもよい。これによれば、管理サーバ４は、公開画像を閲覧したユーザから公開画像に関するコメントを取得することができる。従って、当該公開画像を公開しているユーザは、公開画像を閲覧したユーザの感想などを知ることができる。
【０２７１】
なお、本実施形態に係る各構成は、実施形態１に記載の各構成と組み合わせて用いることができる。この場合には、管理サーバ４は、画像及びコメントを用いて実施形態１の構成を実現しつつ、編集画像及び公開フラグを用いて本実施形態の構成を実現すればよい。
【０２７２】
また、本実施形態に係る各構成は、実施形態２に記載の各構成と組み合わせて用いることもできる。この場合には、管理サーバ４は、ユーザの画像のうち、他のユーザに公開可能な画像として選択されている公開画像を、ユーザの属するグループと同じグループに属する他のユーザに提示することができる。
【０２７３】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２７４】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２７６】
本発明は、写真シール作成装置において作成されたユーザの撮影画像を管理サーバに保存する撮影画像管理システムとして、幅広く利用することができる。
【符号の説明】
【０２７７】
１  写真シール作成装置
４  管理サーバ
６  携帯端末（端末装置）
１１  撮影ユニット
１２  編集部
１３  事後接客部
２１  撮影部
２０１  制御部
３１１  通信制御部（送信手段）
３１２  撮影制御部（入力受付手段）
３１３  編集制御部
３１４  印刷制御部
３１５  事後接客制御部（入力受付手段）
４０１  制御部
４０２  記憶部
４０３  通信部
４１１  通信制御部（コメント取得手段）
４１２  メール作成部
４１３  ウェブページ作成部（公開画像提供手段、閲覧管理手段、提示手段）
４１４、４１４’  画像管理部（公開画像管理手段、管理手段）
４４１  管理部（管理手段、修正受付手段）
４４２  満足度推定部（推定手段）
４４３  特定情報付与部（付与手段）
４４４  画像掲載ページ検索部（検索手段）
６０１  制御部
６０２  記憶部
６０３  通信部
６０４  入力部
６０５  表示部
６１１  通信制御部
６１２  入力制御部
６１３  表示制御部
【図１】
2019071610.tif 000003
【図２】
2019071610.tif 000004
【図３】
2019071610.tif 000005
【図４】
2019071610.tif 000006
【図５】
2019071610.tif 000007
【図６】
2019071610.tif 000008
【図７】
2019071610.tif 000009
【図８】
2019071610.tif 000010
【図９】
2019071610.tif 000011
【図１０】
2019071610.tif 000012
【図１１】
2019071610.tif 000013
【図１２】
2019071610.tif 000014
【図１３】
2019071610.tif 000015
【図１４】
2019071610.tif 000016
【図１５】
2019071610.tif 000017
【図１６】
2019071610.tif 000018
【図１７】
2019071610.tif 000019
【図１８】
2019071610.tif 000020
【図１９】
2019071610.tif 000021
【図２０】
2019071610.tif 000022